(57)【要約】【課題】遮光部材の位置合わせを正確に行うことができるＸ線撮影装置及びＸ線撮影用遮光装置を提供する。【解決手段】遮光部材３１に形成されている開口部３１２から光を通過させ、その光の照射位置を確認しながら遮光部材３１を移動させることにより、遮光部材３１の位置合わせを行う。照射口３１１とは別に、位置合わせのための開口部３１２を遮光部材３１に設けることにより、照射口３１１を通過する光を用いる場合と比べて、遮光部材３１の位置合わせを正確に行うことができる。【選択図】  図２
2014117358.tif 000002
【特許請求の範囲】
【請求項１】
Ｘ線照射部からのＸ線を、コリメータにより調整された照射範囲内で撮影台に向けて照射することにより、前記撮影台に対向している被写体を撮影することができるＸ線撮影装置であって、
前記コリメータと前記撮影台との間に、Ｘ線の照射方向に対して交差する方向に移動可能な状態で配置され、前記コリメータからのＸ線の一部を照射口から通過させることにより、当該照射口を通過したＸ線が被写体に照射される範囲内での撮影を可能にする遮光部材を備え、
前記遮光部材には、前記照射口とは異なる位置に、当該遮光部材を位置合わせするための光を通過させる開口部が形成されていることを特徴とするＸ線撮影装置。
【請求項２】
前記遮光部材の前記開口部を通過した光は、前記撮影台に照射されるようになっており、
前記撮影台には、前記遮光部材の前記開口部を通過した光の照射位置を合わせるための照射目標が設けられていることを特徴とする請求項１に記載のＸ線撮影装置。
【請求項３】
前記コリメータには、可視光を照射するための可視光照射部が備えられ、当該可視光照射部からの可視光を前記撮影台に照射することにより、Ｘ線の照射範囲を確認することができるようになっており、
前記可視光照射部からの可視光が、前記遮光部材を位置合わせするための光として前記開口部を通過することを特徴とする請求項１又は２に記載のＸ線撮影装置。
【請求項４】
前記遮光部材を移動させて、前記照射口を通過したＸ線が被写体に照射される範囲を切り替えることにより、被写体を複数の範囲で撮影させるための駆動部と、
複数の範囲で撮影された画像データを合成する画像処理部とを備えたことを特徴とする請求項１〜３のいずれかに記載のＸ線撮影装置。
【請求項５】
前記遮光部材は、上下方向に移動可能となっており、
前記遮光部材には、少なくとも前記照射口の上端部近傍に、前記開口部が形成されていることを特徴とする請求項１〜４のいずれかに記載のＸ線撮影装置。
【請求項６】
前記遮光部材には、当該遮光部材の移動方向に対して交差する方向に前記照射口を挟んで両側に、前記開口部がそれぞれ形成されていることを特徴とする請求項１〜５のいずれかに記載のＸ線撮影装置。
【請求項７】
Ｘ線照射部からのＸ線を、コリメータにより調整された照射範囲内で撮影台に向けて照射することにより、前記撮影台に対向している被写体を撮影することができるＸ線撮影装置に用いられるＸ線撮影用遮光装置であって、
前記コリメータと前記撮影台との間に、Ｘ線の照射方向に対して交差する方向に移動可能な状態で配置され、前記コリメータからのＸ線の一部を照射口から通過させることにより、当該照射口を通過したＸ線が被写体に照射される範囲内での撮影を可能にする遮光部材を備え、
前記遮光部材には、前記照射口とは異なる位置に、当該遮光部材を位置合わせするための光を通過させる開口部が形成されていることを特徴とするＸ線撮影用遮光装置。
【発明の詳細な説明】
【技術分野】
【０００１】
本発明は、Ｘ線照射部からのＸ線を、コリメータにより調整された照射範囲内で撮影台に向けて照射することにより、前記撮影台に対向している被写体を撮影することができるＸ線撮影装置、及び、これに用いられるＸ線撮影用遮光装置に関するものである。
【背景技術】
【０００２】
例えば医療分野で使用されるＸ線撮影装置では、被検者などの被写体が撮影台に対向した状態で、被写体に向けてＸ線照射部からＸ線が照射される。Ｘ線照射部からのＸ線の照射範囲は、コリメータにより調整することができる。コリメータには、通常、可視光を照射する可視光照射部が備えられており、当該可視光照射部からの可視光を撮影台に照射することにより、Ｘ線の照射範囲を確認することができるようになっている。
【０００３】
すなわち、被写体を撮影する際には、まず、可視光照射部からの可視光を撮影台に照射し、その可視光の照射範囲を確認ながらコリメータを操作することにより、可視光の照射範囲に対応するＸ線の照射範囲を調整することができる。このように、可視光を用いてＸ線の照射範囲を調整した後、実際にＸ線を照射しながら、Ｘ線の照射範囲内で被写体を撮影することとなる。
【０００４】
従来、銀塩フィルムを用いたＸ線撮影が広く利用されてきたが、近年では、Ｘ線撮影した画像を画像データとして出力可能なデジタル式のＸ線撮影装置が利用されるようになってきている。この種のＸ線撮影装置では、例えば半導体素子を含むＦＰＤ（Flat Panel Detector：平面検出器）が撮影台に設置され、Ｘ線照射部からのＸ線がＦＰＤで検出されることにより、画像データが得られるようになっている。
【０００５】
例えば被検者に対する全脊椎撮影や全下肢撮影などのように、被写体を広範囲で撮影する場合（いわゆる長尺撮影）、銀塩フィルムを用いたＸ線撮影では、長尺フィルムを用いることにより、１回のＸ線照射で撮影を行うことが可能である。デジタル式のＸ線撮影装置においても、大型のＦＰＤを使用すれば１回のＸ線照射で撮影を行うことは可能であるが、ＦＰＤは非常に高価であるため、１回のＸ線照射で撮影を行うことができるような大型のＦＰＤを使用することは困難である。
【０００６】
そこで、コリメータを用いてＸ線の照射範囲を広範囲に調整した後、その照射範囲内でＦＰＤの位置を間欠的に移動させて、被写体を複数の範囲で撮影し、得られた画像データを合成することにより長尺撮影を実現するようなデジタル式のＸ線撮影装置が知られている（例えば、特許文献１参照）。
【０００７】
このような構成の場合、Ｘ線が被写体の広範囲に照射された状態で複数回の撮影を行うと、各撮影時に、被写体の撮影されない領域（ＦＰＤに対向していない領域）に対して必要のないＸ線が照射されることとなる。このような無駄なＸ線被曝を防止するために、この種のＸ線撮影装置には、例えば照射口が形成された遮光部材（マスク板）が備えられている。
【０００８】
このような遮光部材を用いて、コリメータからのＸ線の一部を照射口から通過させれば、当該照射口を通過したＸ線のみが被写体に照射され、その照射範囲内での撮影が可能になる。したがって、遮光部材を移動させることにより、照射口を通過したＸ線が被写体に照射される範囲を切り替えるとともに、Ｘ線が照射される範囲に合わせてＦＰＤを移動させることにより、必要な範囲で被写体にＸ線を照射して長尺撮影を行うことができる。
【先行技術文献】
【特許文献】
【０００９】
【特許文献１】特許第４７８２６４１号公報
【発明の概要】
【発明が解決しようとする課題】
【００１０】
遮光部材を用いてＸ線撮影を行う際には、遮光部材の照射口を通過するＸ線が被写体の所望の範囲に照射されるように、遮光部材の位置合わせを行う必要がある。具体的には、コリメータから撮影台に向けて可視光を照射し、遮光部材の照射口を通過する可視光の範囲を確認しながら遮光部材の位置合わせを行うことにより、可視光の照射範囲に対応するＸ線の照射範囲を調整することができる。
【００１１】
しかしながら、上記のような遮光部材の位置合わせを作業者が手動で行う場合には、正確な位置合わせが難しいという問題がある。特に、長尺撮影を行う場合のように、撮影時に遮光部材の移動に合わせてＦＰＤを移動させるような構成の場合には、より正確な遮光部材の位置合わせが要求される。遮光部材の位置合わせを自動で行うような構成も考えられるが、その場合には、装置の製造コストが高くなるといった問題がある。
【００１２】
本発明は、上記実情に鑑みてなされたものであり、遮光部材の位置合わせを正確に行うことができるＸ線撮影装置及びＸ線撮影用遮光装置を提供することを目的とする。また、本発明は、簡単な構成で遮光部材の位置合わせを正確に行うことができ、装置の製造コストが高くなるのを防止することができるＸ線撮影装置及びＸ線撮影用遮光装置を提供することを目的とする。
【課題を解決するための手段】
【００１３】
本発明に係るＸ線撮影装置は、Ｘ線照射部からのＸ線を、コリメータにより調整された照射範囲内で撮影台に向けて照射することにより、前記撮影台に対向している被写体を撮影することができるＸ線撮影装置であって、前記コリメータと前記撮影台との間に、Ｘ線の照射方向に対して交差する方向に移動可能な状態で配置され、前記コリメータからのＸ線の一部を照射口から通過させることにより、当該照射口を通過したＸ線が被写体に照射される範囲内での撮影を可能にする遮光部材を備え、前記遮光部材には、前記照射口とは異なる位置に、当該遮光部材を位置合わせするための光を通過させる開口部が形成されていることを特徴とする。
【００１４】
このような構成によれば、遮光部材に形成されている開口部から光を通過させ、その光の照射位置を確認しながら遮光部材を移動させることにより、遮光部材の位置合わせを行うことができる。照射口とは別に、位置合わせのための開口部を遮光部材に設けることにより、照射口を通過する光を用いる場合と比べて、遮光部材の位置合わせを正確に行うことができる。
【００１５】
また、遮光部材に開口部を形成し、その開口部から光を通過させるという簡単な構成で遮光部材の位置合わせを正確に行うことができ、遮光部材の位置合わせを自動で行うような構成と比べて、装置の製造コストが高くなるのを防止することができる。
【００１６】
前記遮光部材の前記開口部を通過した光は、前記撮影台に照射されるようになっていてもよい。この場合、前記撮影台には、前記遮光部材の前記開口部を通過した光の照射位置を合わせるための照射目標が設けられていてもよい。
【００１７】
このような構成によれば、遮光部材の開口部を通過した光の照射位置が撮影台の照射目標に合うように、その光の照射位置を確認しながら遮光部材を移動させることにより、遮光部材の位置合わせを正確に行うことができる。
【００１８】
前記コリメータには、可視光を照射するための可視光照射部が備えられ、当該可視光照射部からの可視光を前記撮影台に照射することにより、Ｘ線の照射範囲を確認することができるようになっていてもよい。この場合、前記可視光照射部からの可視光が、前記遮光部材を位置合わせするための光として前記開口部を通過するようになっていてもよい。
【００１９】
このような構成によれば、Ｘ線の照射範囲を確認するために可視光照射部から照射される可視光を用いて、遮光部材の位置合わせを行うことができる。したがって、遮光部材の位置合わせを行うために、可視光照射部とは異なる光源を別途設ける必要がないため、簡単な構成で遮光部材の位置合わせを正確に行うことができ、装置の製造コストが高くなるのを防止することができる。
【００２０】
前記Ｘ線撮影装置は、前記遮光部材を移動させて、前記照射口を通過したＸ線が被写体に照射される範囲を切り替えることにより、被写体を複数の範囲で撮影させるための駆動部と、複数の範囲で撮影された画像データを合成する画像処理部とを備えていてもよい。
【００２１】
このような構成によれば、遮光部材を移動させて被写体を複数の範囲で撮影し、得られた画像データを合成することにより、長尺撮影を行うことができる。長尺撮影を行う場合には、例えば撮影時に遮光部材の移動に合わせてＦＰＤを移動させるため、より正確な遮光部材の位置合わせが要求される場合があるが、本発明によれば、遮光部材の位置合わせを正確に行うことができ、良好に長尺撮影を行うことができる。
【００２２】
前記遮光部材は、上下方向に移動可能となっていてもよい。この場合、前記遮光部材には、少なくとも前記照射口の上端部近傍に、前記開口部が形成されていることが好ましい。
【００２３】
このような構成によれば、被検者の足をＸ線撮影する場合などのように、遮光部材を最も低い位置に合わせるような場合であっても、少なくとも照射口の上端部近傍に形成されている開口部を通過した光が、撮影台からはみ出すことなく良好に照射される。したがって、より広範囲で遮光部材の位置合わせを正確に行うことができる。
【００２４】
前記遮光部材には、当該遮光部材の移動方向に対して交差する方向に前記照射口を挟んで両側に、前記開口部がそれぞれ形成されていることが好ましい。
【００２５】
このような構成によれば、照射口を挟んで両側に開口部がそれぞれ形成されているため、例えば被検者の体の一部により、一方の開口部からの光が遮られるような場合であっても、他方の開口部からの光を用いて遮光部材の位置合わせを正確に行うことができる。
【００２６】
本発明に係るＸ線撮影用遮光装置は、Ｘ線照射部からのＸ線を、コリメータにより調整された照射範囲内で撮影台に向けて照射することにより、前記撮影台に対向している被写体を撮影することができるＸ線撮影装置に用いられるＸ線撮影用遮光装置であって、前記コリメータと前記撮影台との間に、Ｘ線の照射方向に対して交差する方向に移動可能な状態で配置され、前記コリメータからのＸ線の一部を照射口から通過させることにより、当該照射口を通過したＸ線が被写体に照射される範囲内での撮影を可能にする遮光部材を備え、前記遮光部材には、前記照射口とは異なる位置に、当該遮光部材を位置合わせするための光を通過させる開口部が形成されていることを特徴とする。
【発明の効果】
【００２７】
本発明によれば、遮光部材に形成されている位置合わせのための開口部から光を通過させ、その光の照射位置を確認しながら遮光部材を移動させることにより、遮光部材の位置合わせを正確に行うことができる。また、本発明によれば、遮光部材に開口部を形成し、その開口部から光を通過させるという簡単な構成で遮光部材の位置合わせを正確に行うことができ、装置の製造コストが高くなるのを防止することができる。
【図面の簡単な説明】
【００２８】
【図１】本発明の一実施形態に係るＸ線撮影装置の構成例を示した概略図である。
【図２】遮光装置の構成例を示した部分正面図である。
【図３】撮影台の構成例を示した正面図である。
【図４】遮光部材の変形例を示した正面図である。
【発明を実施するための形態】
【００２９】
図１は、本発明の一実施形態に係るＸ線撮影装置の構成例を示した概略図である。このＸ線撮影装置には、Ｘ線照射部１、コリメータ２、遮光装置３、撮影台４、制御部５及び記憶部６などが備えられている。Ｘ線撮影時には、図１に示すように、被検者などの被写体７が撮影台４に対向し、Ｘ線照射部１から撮影台４に向けてＸ線が照射される。ただし、被写体７は被検者などに限られるものではなく、当該Ｘ線撮影装置を用いて、あらゆる被写体７をＸ線撮影することができる。
【００３０】
Ｘ線照射部１は、例えばコリメータ２と一体的に構成されており、コリメータ２を移動可能に支持する支柱２１により、コリメータ２とともに移動可能な状態で保持されている。この例では、Ｘ線照射部１及びコリメータ２は、上下方向に移動可能となっており、上下方向に移動させてＸ線の照射位置を調整した後、所望の位置で固定することができるようになっている。
【００３１】
コリメータ２は、Ｘ線照射部１からのＸ線の照射範囲Ｒ１を調整するためのものであり、操作部（図示せず）を操作することにより、Ｘ線の照射範囲Ｒ１を広げたり、狭めたりすることができる。例えば長尺撮影を行う場合のように、被写体７としての被検者の全身を広範囲にわたって撮影する場合などには、図１に示すように、Ｘ線照射部１からのＸ線の照射範囲Ｒ１が広範囲となるようにコリメータ２が調整される。
【００３２】
コリメータ２には、可視光を照射するための可視光照射部２２が備えられている。可視光照射部２２は、例えばハロゲンランプなどの光源により構成することができるが、これに限らず、他の各種光源を用いて可視光照射部２２を構成することが可能である。コリメータ２を用いてＸ線照射部１からのＸ線の照射範囲Ｒ１を調整する際には、可視光照射部２２からの可視光を撮影台４に照射することにより、Ｘ線の照射範囲Ｒ１を確認することができる。
【００３３】
すなわち、被写体７を撮影する際には、まず、可視光照射部２２からの可視光を撮影台４に照射し、その可視光の照射範囲を確認ながらコリメータ２を操作することにより、可視光の照射範囲に対応するＸ線の照射範囲Ｒ１を調整することができる。このように、可視光を用いてＸ線の照射範囲Ｒ１を調整した後、実際にＸ線を照射しながら、Ｘ線の照射範囲Ｒ１内で被写体７を撮影することとなる。
【００３４】
遮光装置３には、コリメータ２からのＸ線を部分的に遮るための遮光部材３１と、遮光部材３１を移動可能に支持する支柱３２と、遮光部材３１を移動させるための遮光部材駆動部３３とが備えられている。遮光装置３は、コリメータ２と撮影台４との間に配置されており、コリメータ２や撮影台４などとは別個の装置として構成されることにより、Ｘ線撮影用遮光装置として提供可能となっている。
【００３５】
遮光部材３１は、例えば鉛などにより形成された板状の部材であり、コリメータ２からのＸ線を通過させるための照射口３１１が形成されている。これにより、コリメータ２からのＸ線の一部を照射口３１１から通過させ、照射口３１１を通過したＸ線が被写体７に照射される範囲Ｒ２内での撮影が可能となる。
【００３６】
遮光部材３１は、コリメータ２と同じ方向に移動可能な状態で、支柱３２により支持されている。この例では、遮光部材３１は上下方向に移動可能となっており、遮光部材３１を上下方向に移動させて所望の位置で固定することにより、遮光部材３１の位置合わせを行うことができるようになっている。
【００３７】
遮光部材駆動部３３は、例えばモータなどを含む構成であり、位置合わせされた後の遮光部材３１をＸ線撮影時に所定の範囲内で移動させることができる。この遮光部材駆動部３３は、長尺撮影を行う際などに使用可能であり、この例では、長尺撮影時に遮光部材３１を上下方向に移動させて、照射口３１１を通過したＸ線が被写体７に照射される範囲を切り替えることができるようになっている。
【００３８】
撮影台４には、例えば半導体素子を含むＦＰＤ（Flat Panel Detector：平面検出器）４１が備えられている。ＦＰＤ４１の検出面４１１は、例えば４３ｃｍ×４３ｃｍ（１７インチ）の矩形状となっている。ＦＰＤ４１は、その検出面４１１が被写体７側を向くような姿勢で、コリメータ２及び遮光部材３１と同じ方向に移動可能に保持されている。Ｘ線照射部１からコリメータ２及び遮光部材３１を介して照射されるＸ線は、少なくとも一部が被写体７を通過した後、ＦＰＤ４１の検出面４１１で検出され、その検出信号に基づいて画像データが得られるようになっている。
【００３９】
この例では、ＦＰＤ４１は上下方向に移動可能となっており、例えばモータなどを含むＦＰＤ駆動部４２により、ＦＰＤ４１を所定の範囲内で移動させることができるようになっている。長尺撮影を行う際には、図１に示すように、コリメータ２を用いてＸ線の照射範囲Ｒ１を広範囲に調整した後、その照射範囲Ｒ１内でＦＰＤ４１の位置を間欠的に移動させて、被写体７を複数の範囲で撮影する。そして、それらの複数の範囲で撮影された画像データを合成することにより、長尺の画像データを得ることができるようになっている。
【００４０】
このようにして長尺撮影を行う際には、ＦＰＤ４１の移動と同期するように遮光部材３１が間欠的に移動され、遮光部材３１の照射口３１１を通過したＸ線が、ＦＰＤ４１の検出面４１１に入射するように切り替えられる。これにより、間欠的に行われる複数回の撮影時に、被写体７の撮影されない領域（ＦＰＤ４１に対向していない領域）に対して必要のないＸ線が照射されるのを防止することができる。
【００４１】
制御部５は、例えばＣＰＵ（Central Processing Unit）を含む構成であり、プログラムを実行することにより、画像処理部５１などの各種機能部として機能する。画像処理部５１は、ＦＰＤ４１からの検出信号に基づいて得られる画像データに対して画像処理を行うためのものであり、長尺撮影時には、複数の範囲で撮影された画像データを合成する処理を行うことができる。
【００４２】
記憶部６は、例えばＲＡＭ（Random Access Memory）又はハードディスクなどにより構成することができる。制御部５の画像処理部５１により画像処理が行われた後の画像データは、記憶部６に記憶され、必要に応じて記憶部６から読み出すことができるようになっている。例えば、記憶部６から読み出した画像データに基づいて、液晶表示器などにより構成される表示部に撮影画像を表示させたり、プリンタで撮影画像を印刷したりすることが可能である。
【００４３】
図２は、遮光装置３の構成例を示した部分正面図である。この例では、遮光部材駆動部３３に対して、遮光部材３１が上下方向に移動可能に取り付けられている。遮光部材３１には、例えば矩形状の照射口３１１が形成されている。この照射口３１１の形状は、例えばＦＰＤ４１の検出面４１１に相似する形状などのように、ＦＰＤ４１の検出面４１１に対応する形状となっている。
【００４４】
遮光部材３１には、照射口３１１とは異なる位置に、遮光部材３１を位置合わせするための光を通過させる開口部３１２が形成されている。この例では、照射口３１１の各角部に対応して、４つの開口部３１２が遮光部材３１に形成されている。具体的には、照射口３１１の上端部近傍及び下端部近傍のそれぞれにおいて、遮光部材３１の移動方向に対して直交する方向（水平方向）に照射口３１１を挟んで両側に、開口部３１２が形成されている。各開口部３１２の形状は、特に限定されることはないが、この例では水平方向に延びるスリット状に形成されている。
【００４５】
このように、各開口部３１２は、遮光部材３１における照射口３１１の外側（外周側）の領域に形成されている。可視光照射部２２からの可視光の遮光部材３１に対する照射範囲Ｒ３は、照射口３１１及び各開口部３１２が形成されている領域を含み、かつ、遮光部材３１からはみ出さないような範囲となるように設定されている。これにより、可視光照射部２２からの可視光は、照射口３１１だけでなく、遮光部材３１を位置合わせするための光として各開口部３１２も通過するようになっている。
【００４６】
図３は、撮影台４の構成例を示した正面図である。撮影台４におけるＦＰＤ４１の検出面４１１側の表面には、被写体７が対向する撮影領域４３と、撮影領域４３の左右両側に位置する端部領域４４とが形成されている。この例では、撮影領域４３が上下方向に延びており、撮影領域４３の裏側をＦＰＤ４１が上下方向に移動するようになっている。
【００４７】
遮光部材３１の照射口３１１及び各開口部３１２を通過した可視光は、撮影台４に照射される。より具体的には、遮光部材３１の照射口３１１を通過した可視光が、撮影台４における撮影領域４３に照射され、各開口部３１２を通過した可視光が、撮影台４における端部領域４４に照射されるようになっている。
【００４８】
撮影台４の左右両側の端部領域４４には、それぞれ遮光部材３１の各開口部３１２を通過した可視光の照射位置を合わせるための照射目標４５が設けられている。各照射目標４５は、例えば遮光部材３１の各開口部３１２に対応する形状の目印からなり、各開口部３１２を通過した可視光の照射位置が、いずれかの照射目標４５に合うように、遮光部材３１の位置合わせを行うこととなる。
【００４９】
この例では、各端部領域４４の長手方向（上下方向）に沿って複数の照射目標４５が設けられており、遮光部材３１を複数の位置のいずれかに合わせることができるようになっている。照射目標４５は、各端部領域４４において等間隔で３つ以上設けられていることが好ましく、この場合、遮光部材３１を３つ以上の位置のいずれかに合わせることができる。
【００５０】
このように、本実施形態では、遮光部材３１に形成されている開口部３１２から光（可視光）を通過させ、その光の照射位置を確認しながら遮光部材３１を移動させることにより、遮光部材３１の位置合わせを行うことができる。照射口３１１とは別に、位置合わせのための開口部３１２を遮光部材３１に設けることにより、照射口３１１を通過する光を用いる場合と比べて、遮光部材３１の位置合わせを正確に行うことができる。
【００５１】
また、遮光部材３１に開口部３１２を形成し、その開口部３１２から光を通過させるという簡単な構成で遮光部材３１の位置合わせを正確に行うことができ、遮光部材３１の位置合わせを自動で行うような構成と比べて、装置の製造コストが高くなるのを防止することができる。
【００５２】
特に、本実施形態では、遮光部材３１の開口部３１２を通過した光の照射位置が撮影台４の照射目標４５に合うように、その光の照射位置を確認しながら遮光部材３１を移動させることにより、遮光部材３１の位置合わせを正確に行うことができる。
【００５３】
また、本実施形態では、Ｘ線の照射範囲を確認するために可視光照射部２２から照射される可視光を用いて、遮光部材３１の位置合わせを行うことができる。したがって、遮光部材３１の位置合わせを行うために、可視光照射部２２とは異なる光源を別途設ける必要がないため、簡単な構成で遮光部材３１の位置合わせを正確に行うことができ、装置の製造コストが高くなるのを防止することができる。
【００５４】
さらに、本実施形態では、遮光部材３１を移動させて被写体７を複数の範囲で撮影し、得られた画像データを合成することにより、長尺撮影を行うことができる。長尺撮影を行う場合には、例えば撮影時に遮光部材３１の移動に合わせてＦＰＤ４１を移動させるため、より正確な遮光部材３１の位置合わせが要求される場合があるが、本実施形態によれば、遮光部材３１の位置合わせを正確に行うことができ、良好に長尺撮影を行うことができる。
【００５５】
図４は、遮光部材３１の変形例を示した正面図である。遮光部材３１に形成される開口部３１２の形状、数及び位置は、図２に示すような態様に限らず、他のあらゆる態様により開口部３１２を形成することができる。そして、遮光部材３１に形成される開口部３１２の形状、数及び位置に応じて、撮影台４の端部領域４４に設けられる照射目標４５の態様も変更することができる。
【００５６】
図４（ａ）の例では、照射口３１１の各角部に対応して、４つの開口部３１２が遮光部材３１に形成されている点で、図２に示した例と同様であるが、各開口部３１２の形状が、図２に示した例とは異なっている。この例では、各開口部３１２が円形状に形成されているが、これに限らず、星形などの他の各種形状で開口部３１２を形成することができる。
【００５７】
図４（ｂ）の例では、各開口部３１２の形状は図４（ａ）に示した例と同様であるが、開口部３１２の数が異なっている。具体的には、遮光部材３１における照射口３１１の上端部近傍の左右両側にのみ開口部３１２が形成されることにより、遮光部材３１に２つの開口部３１２が形成された構成となっている。
【００５８】
このように、遮光部材３１には、少なくとも照射口３１１の上端部近傍に開口部３１２が形成されていることが好ましい。これにより、被検者の足をＸ線撮影する場合などのように、遮光部材３１を最も低い位置に合わせるような場合であっても、少なくとも照射口３１１の上端部近傍に形成されている開口部３１２を通過した光が、撮影台４からはみ出ることなく良好に照射される。したがって、より広範囲で遮光部材３１の位置合わせを正確に行うことができる。
【００５９】
また、遮光部材３１の移動方向に対して交差する方向（例えば水平方向）に照射口３１１を挟んで両側に、開口部３１２がそれぞれ形成されているため、例えば被検者の体の一部により、一方の開口部３１２からの光が遮られるような場合であっても、他方の開口部３１２からの光を用いて遮光部材３１の位置合わせを正確に行うことができる。
【００６０】
以上の実施形態では、コリメータ２、遮光部材３１及びＦＰＤ４１が、それぞれ上下方向に移動可能な構成について説明した。しかし、このような構成に限らず、コリメータ２、遮光部材３１及びＦＰＤ４１が、それぞれＸ線の照射方向に対して交差する方向に移動可能な状態で配置されるような構成であれば、それぞれ別の方向に移動可能な構成であってもよい。
【００６１】
遮光部材３１を位置合わせするための光は、可視光照射部２２からの可視光が遮光部材３１の開口部３１２を通過するような構成に限らず、別の光源からの光が遮光部材３１の開口部３１２を通過するような構成であってもよい。この場合、レーザ光などの各種光を用いて遮光部材３１の位置合わせを行うことができる。
【００６２】
撮影台４に設けられる照射目標４５は、開口部３１２を通過した光の位置を合わせるための単なる目印ではなく、目印以外の他の機能を兼ねた照射目標４５とすることも可能である。例えば、開口部３１２を通過した光を検知するためのセンサが、目印を兼ねた照射目標４５として撮影台４に設けられた構成などであってもよい。この場合、開口部３１２を通過した光がセンサで検知されたことに基づいて、遮光部材３１の位置合わせが完了した旨を報知するような構成となっていてもよい。
【００６３】
また、以上の実施形態では、長尺撮影を行うことができるようなＸ線撮影装置について説明したが、本発明は、長尺撮影を行うことができないようなＸ線撮影装置にも適用可能である。すなわち、遮光部材３１を備えたＸ線撮影装置であれば、その遮光部材３１の位置合わせを良好に行うために、本発明を好適に適用することが可能である。
【符号の説明】
【００６４】
１    Ｘ線照射部
２    コリメータ
３    遮光装置
４    撮影台
５    制御部
６    記憶部
７    被写体
２１    支柱
２２    可視光照射部
３１    遮光部材
３２    支柱
３３    遮光部材駆動部
４１    ＦＰＤ
４２    ＦＰＤ駆動部
４３    撮影領域
４４    端部領域
４５    照射目標
５１    画像処理部
３１１    照射口
３１２    開口部
４１１    検出面
【図１】
2014117358.tif 000003
【図２】
2014117358.tif 000004
【図３】
2014117358.tif 000005
【図４】
2014117358.tif 000006